(57)【特許請求の範囲】
【請求項１】
予め投入された破砕媒体によって原料物質を破砕処理して破砕産物とする破砕チャンバーと、前記破砕チャンバーを垂直面内で円振動させる振動装置とを備えた振動ミルであって、
前記破砕チャンバーは、
円筒形状をなし、その上部に前記原料物質の投入口を有する胴体部と、
前記胴体部の一端側に配置され、当該胴体部の内部に水または海水を注水するための注水口を有する注水側蓋と、
前記胴体部の他端側に配置され、前記破砕産物を通過させ、前記破砕媒体は通過させない大きさで開口する排出口を有する排出側仕切り板と、
前記排出側仕切り板の外側で前記排出口に対応する位置に開閉自在に取り付けられる排出側蓋とを備え、
前記排出側蓋は、前記排出口と当接する側に、前記排出口と嵌合する突起部を有することを特徴とする振動ミル。
【請求項２】
前記注水側蓋の注水口は、前記胴体部の下部円周に沿う位置に配置されることを特徴とする請求項１に記載の振動ミル。
【請求項３】
前記注水側蓋の内側に配置され、前記破砕媒体は通過させない大きさで開口する点検口を有する注水側仕切り板を備え、
前記注水側蓋は、前記注水側仕切り板の外側で前記点検口に対応する位置に開閉自在に取り付けられることを特徴とする請求項１または請求項２に記載の振動ミル。
【請求項４】
前記注水側蓋は、前記点検口と当接する側に、前記点検口と嵌合する突起部を有することを特徴とする請求項３に記載の振動ミル。
【請求項５】
請求項１ないし請求項４のいずれか１項に記載の振動ミルの運転方法であって、
前記注水側蓋および前記排出側蓋を閉じて、前記投入口から前記胴体部内部に原料物質、および、水または海水を投入する準備工程と、
前記胴体部を所定振動数で円振動させ、前記胴体部内部に予め投入された破砕媒体によって前記原料物質を破砕処理した破砕産物を産出する破砕工程と、
前記注水口から前記胴体部内部に水または海水を注水し、前記排出側蓋を開けて、前記胴体部を前記所定振動数または前記所定振動数より低い振動数で円振動させ、前記排出口から前記破砕産物、および、前記水または海水を排出する洗浄工程とを含むことを特徴とする振動ミルの運転方法。
【請求項６】
請求項１ないし請求項４のいずれか１項に記載の振動ミルの運転方法であって、
前記注水側蓋を閉じ前記排出側蓋を開いた状態で、前記投入口から前記胴体部内部に原料物質、および、水または海水を連続的に投入しつつ、前記胴体部を所定振動数で円振動させ、前記胴体部内部に予め投入された破砕媒体によって前記原料物質を破砕処理して破砕産物を産出し、前記排出口から前記破砕産物を排出する破砕工程と、
破砕処理が終了した後、前記胴体部の円振動を続けながら、前記注水口から前記胴体部内部に水または海水を注水し、前記排出口から前記破砕産物の残留物、および、前記水または海水を排出する洗浄工程とを含むことを特徴とする振動ミルの運転方法。
【発明の詳細な説明】
【技術分野】
【０００１】
本発明は、鉱石、岩石、その他の原料物質（例えば、ダイヤモンドを内包する貝殻を含む土砂）を金属またはセラミックのボール、金属ロッド等の破砕媒体で破砕処理するために使用される振動ミルおよびその運転方法に関するものである。
【背景技術】
【０００２】
従来、鉱石等の破砕処理に使用される振動ミルとして、特許文献１には、垂直面内で円振動される横型円筒形の破砕チャンバー（文献では粉砕筒）を有する振動ミルが記載されている。そして、振動ミルが有する破砕チャンバーは、その胴体上部の中間部および一端部には投入口が設けられ、破砕チャンバーの胴体下部の両端部および両端板下部には、大きさが異なり、かつ、閉鎖可能な排出口が設けられている
【特許文献１】特公平１−１２５４３号公報（請求項１、第１図）
【発明の開示】
【発明が解決しようとする課題】
【０００３】
鉱石や広大な地域の中で偏在する埋蔵物や堆積物などを採掘し、産業化する場合には、多数の試堀を実施して膨大なサンプル（原料物質）を採取し個別に破砕・分別を行って、目的物の含有量分布を計測し、回収を最大の効率で実施できるように戦略を立てる必要がある。
【０００４】
しかしながら、従来の振動ミルでは、投入するサンプル（原料物質）を変える場合、先の原料物質のコンタミを防止するためには、破砕チャンバー内の内容物を破砕媒体も含めて全量排出し、破砕チャンバー内を水等で洗浄し、また、破砕媒体も水等で洗浄して、破砕チャンバー内に再充填しなければならなかった。原料物質の性状、処理量、所要破砕粒度にもよるが、ある場合には原料投入および破砕運転に要する時間が数分しか必要なくとも、破砕チャンバーからの内容物排出、破砕チャンバーの洗浄、破砕チャンバーへの内容物の再充填に１時間以上もかかってしまうことがあった。そのため、多数のサンプルの破砕処理には、多くの作業時間がかかり、作業要員も多く必要とするという問題もあった。なお、サンプル（原料物質）の種類を変える場合にも同様な問題があった。
【０００５】
そこで、本発明は、このような問題を解決すべく創案されたもので、その目的は、多数または多種類の原料物質をコンタミなく破砕処理する際、作業時間が短く、作業要員も少なくできる振動ミルおよびその運転方法を提供することにある。
【課題を解決するための手段】
【０００６】
前記課題を解決するために、請求項１に係る振動ミルは、予め投入された破砕媒体によって原料物質を破砕処理して破砕産物とする破砕チャンバーと、前記破砕チャンバーを垂直面内で円振動させる振動装置とを備えた振動ミルであって、前記破砕チャンバーは、円筒形状をなし、その上部に前記原料物質の投入口を有する胴体部と、前記胴体部の一端側に配置され、当該胴体部の内部に水または海水を注水するための注水口を有する注水側蓋と、前記胴体部の他端側に配置され、前記破砕産物を通過させ、前記破砕媒体は通過させない大きさで開口する排出口を有する排出側仕切り板と、前記排出側仕切り板の外側で前記排出口に対応する位置に開閉自在に取り付けられる排出側蓋とを備える。
前記課題を解決するために、本発明に係る振動ミルは、予め投入され備え、前記排出側蓋は、前記排出口と当接する側に、前記排出口と嵌合する突起部を有する。
【０００７】
前記構成によれば、胴体部の一端側に注水口、他端側に排出口を備えることによって、胴体部の下部内壁面に軸方向に沿った水流が発生し、破砕媒体に拘束されずに、破砕産物が排出口から排出される。それにより、胴体内部および破砕媒体の洗浄効率が向上する。また、排出口が破砕産物を通過させ、破砕媒体は通過させない大きさで開口することによって、破砕産物のみが排出口から排出され、胴体部内部への破砕産物の残留がなくなると共に、破砕媒体の胴体部内部からの排出、胴体部内部への再充填の必要がなくなる。さらに、排出側蓋が排出口と嵌合する突起部を備えることによって、排出側仕切り板の内側側面（胴体部内部側の側面）が、ほぼ凹凸のない滑らかな平面となるため、破砕処理の際に、投入された原料物質および破砕媒体によって、排出口が摩耗し、減損することが緩和される。
【０００８】
請求項２に係る振動ミルは、前記注水側蓋の注水口が、前記胴体部の下部円周に沿う位置に配置される。
【０００９】
前記構成によれば、注水口が胴体部の下部円周に沿う位置に配置されていることによって、胴体部の軸方向に沿った水流が発生しやすくなり、胴体内部および破砕媒体の洗浄効率がより一層向上し、排出口からの破砕産物の排出もより一層促進される。
【００１０】
請求項３に係る振動ミルは、前記注水側蓋の内側に配置され、前記破砕媒体は通過させない大きさで開口する点検口を有する注水側仕切り板を備え、前記注水側蓋が、前記注水側仕切り板の外側で前記点検口に対応する位置に開閉自在に取り付けられる。
【００１１】
前記構成によれば、点検口を有する注水側仕切り板を備え、注水側蓋が注水側仕切り板の外側で点検口に対応する位置に取り付けられることによって、注水側蓋を開けるだけで、点検口を介して、胴体部内部における破砕産物の残留量を容易に確認ができる。
【００１４】
請求項４に係る振動ミルは、前記注水側蓋が、前記点検口と当接する側に、前記点検口と嵌合する突起部を有する。
【００１５】
前記構成によれば、注水側蓋が点検口と嵌合する突起部を備えることによって、注水側仕切り板の内側側面（胴体部内部側の側面）がほぼ凹凸のない滑らかな平面となるため、破砕処理の際に、投入された原料物質および破砕媒体によって、点検口が摩耗し、減損することが緩和される。
【００１６】
請求項５に係る振動ミルの運転方法は、請求項１ないし請求項４に記載の振動ミルの運転方法であって、前記注水側蓋および前記排出側蓋を閉じて、前記投入口から前記胴体部内部に原料物質、および、水または海水を投入する準備工程と、前記胴体部を所定振動数で円振動させ、前記胴体部内部に予め投入された破砕媒体によって前記原料物質を破砕処理して破砕産物を産出する破砕工程と、前記注水口から前記胴体部内部に水または海水を注水し、前記排出側蓋を開けて、前記胴体部を前記所定振動数または前記所定振動数より低い振動数で円振動させ、前記排出口から前記破砕産物、および、前記水または海水を排出する洗浄工程とを含む。
【００１７】
前記手順によれば、胴体部に水を注水しながら、胴体部を円振動させ、排出口から破砕産物、および、水または海水を排出する洗浄工程を含むことによって、胴体部内部に軸方向に沿った水流が発生し、破砕媒体に拘束されずに破砕産物が排出口から排出される。それにより、胴体内部および破砕媒体の洗浄効率が向上する。
【００１８】
請求項６に係る振動ミルの運転方法は、請求項１ないし請求項４に記載の振動ミルの運転方法であって、前記注水側蓋を閉じ前記排出側蓋を開いた状態で、前記投入口から前記胴体部内部に原料物質、および、水または海水を連続的に投入しつつ、前記胴体部を所定振動数で円振動させ、前記胴体部内部に予め投入された破砕媒体によって前記原料物質を破砕処理して破砕産物を産出し、前記排出口から前記破砕産物を排出する破砕工程と、 破砕処理が終了した後、前記胴体部の円振動を続けながら、前記注水口から前記胴体部内部に水または海水を注水し、前記排出口から前記破砕産物の残留物、および、前記水または海水を排出する洗浄工程とを含む。
【００１９】
前記手順によれば、破砕工程において、原料物質、および、水または海水を連続的に投入しつつ、胴体部を円振動させることによって、原料物質が連続的に破砕処理され、振動ミルの運転効率が向上する。
【発明の効果】
【００２０】
本発明に係る振動ミルおよびその運転方法によれば、胴体部内部の破砕産物が短時間で排出され、かつ、破砕媒体の胴体内部からの排出洗浄、破砕媒体の胴体部内部への再充填も必要ないため、コンタミ防止のための破砕チャンバー（胴体部）の洗浄作業が簡便になると共に、時間も短くなる。それにより、多数または多種類の原料物質をコンタミなく破砕処理する際、作業時間が大幅に短縮できると共に、作業要員も少なくできる。また、短時間で多量の原料物質の性状を調べることが可能となる。
【発明を実施するための最良の形態】
【００２１】
本発明に係る振動ミルおよびその運転方法の実施形態について、図面を参照して詳細に説明する。図１は、振動ミルに使用される破砕チャンバーの構成を示す横断面図、図２は図１の破砕チャンバーを注水側（一端側）から見た側面図、図３は図１の破砕チャンバーを排出側（他端側）から見た側面図、図４（ａ）は図１の破砕チャンバーを注水側（一端側）から見た斜視図、（ｂ）は図１の破砕チャンバーを排出側（他端側）から見た斜視図である。
【００２２】
まず、本発明に係る振動ミルについて説明する。
図１〜図４（ａ）、（ｂ）に示すように、本発明に係る振動ミル３０は、破砕チャンバー１と、振動装置（図示せず）とを備える。
【００２３】
振動装置は、図示しないが、破砕チャンバー１を支持する支持プレートＰと、この支持プレートＰの両側または片側に破砕チャンバー１に接続するように配置された回転軸およびアンバランスウエイト等から構成される振動手段と、支持プレートＰおよび振動手段を支持する弾性体と、この弾性体を支持するフレーム体と、このフレーム体に弾性体を介して支持されている振動手段を作動させるユニバーサルジョイント等の駆動伝達手段と、この駆動伝達手段を介して振動手段を作動させるための駆動モータとを備えている。したがって、振動装置の駆動モータが駆動すると、駆動モータから駆動伝達手段を介して回転軸に回転が伝達される。そして、回転軸は、アンバランスウエイトによって、弾性体の許容範囲において偏心した状態で回転する。そのため、回転軸に支持プレートＰを介して接続されている破砕チャンバー１は、垂直面内で円振動する。
【００２４】
破砕チャンバー１は、予め投入された破砕媒体によって原料物質を破砕処理して破砕産物とするもので、胴体部２と、胴体部２の一端側に配置された注水側蓋３と、胴体部２の他端側に配置された排出側仕切り板４と、排出側蓋５とを備える。
【００２５】
胴体部２は、円筒形状をなし、その上部に原料物質、水または海水を投入する投入口７を備える。投入口７は、必要に応じて蓋７ａにより閉鎖可能に構成されている。なお、破砕チャンバー１は、胴体部２の内側に、耐摩耗性を有する鋼材またはセラミックス等からなる円筒体で構成された胴体ライナー（図示せず）を備えたものであってもよい。また、破砕チャンバー１は、排出側仕切り板４の内側に、耐摩耗性を有する鋼材またはセラミックス等からなる円板で構成されたエンドライナー（図示せず）を備えたものであってもよい。
【００２６】
胴体部２の一端側に配置された注水側蓋３は、胴体部２の内部に水または海水を注水するために、複数の注水口８と、注水口８に連通する水ジャケット２０とを有する。水ジャケット２０は屈曲可能なホース２１等の手段により給水源（図示せず）に接続されている。
また、胴体部２の他端部に配置された排出側仕切り板４は、胴体部２の内部から破砕産物を外部に排出するための排出口９を有する。そして、排出側仕切り板４の外側には排出側蓋５を備えている。
【００２７】
そして、胴体部２の一端側に注水口８、他端側に排出口９を備えることによって、胴体部２の下部内壁面に軸方向に沿った水流が発生し、破砕媒体に拘束されずに、破砕産物が排出口９から排出され、胴体内部および破砕媒体の洗浄効率が向上する。したがって、注水口８および排出口９の位置は、注水口８が胴体部２の一端側、排出口９が胴体部２の他端側に配置されれば、特に限定されない。しかしながら、軸方向に沿った水流が発生しやすいことから、注水口８および排出口９の両者が、胴体部２の下部円周に沿って配置されることが好ましい。
【００２８】
図１、図３、図４（ｂ）に示すように、排出側仕切り板４は、円板からなり、胴体部（円筒形状）２と、胴体部（他端側）２の円周に沿って所定間隔で設けられるボルト１０で接合される。排出側蓋５は、排出側仕切り板４の略半分の大きさを有する半円板で構成され、排出側仕切り板４の外側で、排出口９に対応する位置に開閉自在に取り付けられている。すなわち、排出側蓋５の上端部が、排出側仕切り板４の略中央部に蝶番１１で固定され、排出側蓋５の下端部が、排出側仕切り板４の下端部にボルト１２で固定されている。
なお、図示しないが、胴体部２と、注水側蓋３とは、胴体部（一端側）２の円周に沿って所定間隔で設けられるボルトで接合されている。
【００２９】
そして、胴体部２の内部から破砕産物を排出する際には、排出側蓋５（下端部）のボルト１２による固定を解除して、排出側蓋５を排出側仕切り板４の上端側に反転させ、排出側仕切り板４の上端部にボルト１３で固定する。これにより、排出側仕切り板４の排出口９が露出し、破砕産物が排出口９から排出される。同時に、注水口８から胴体部２の内部に注水された水または海水も、排出口９から排出される。
【００３０】
排出口９は、破砕産物を通過させ、破砕媒体を通過させない大きさで開口する。排出口９がこのような大きさで開口することによって、破砕産物のみが排出口９から排出され、胴体部内部への破砕産物の残留がなくなる。排出口９の形状は、図面に記載された縦長のスリット形状に限定されず、目的にかなうものであれば花弁状（放射状）のスリット形状、または、横長のスリット形状等の任意の形状を採用してもよい。排出口９の縁形状は、テーパ状であってもよい。また、排出口９の数も、破砕産物の排出が十分であれば、特に限定されない。
【００３１】
排出側蓋５は、排出口９と当接する側に、排出口９と最小の隙間で嵌合する突起部１４を有することが好ましい。突起部１４の形状および数は、排出口９の形状および数と同一が好ましい。
【００３２】
排出側蓋５が排出口９と嵌合する突起部１４を備えることによって、排出側蓋５を閉じた際、排出側仕切り板４の内側側面（胴体部内部側の側面）が、ほぼ凹凸のない滑らかな平面となるため、破砕処理の際に、投入された原料物質および破砕媒体によって、排出口９が摩耗し、減損することが緩和される。その結果、排出口９の開口が大きくなって、破砕媒体が、排出口９から外部へ出るようなことが発生し難くなる。
【００３３】
図１〜図４（ａ）、（ｂ）に示すように、本発明に係る振動ミル３０を構成する破砕チャンバー１は、注水側蓋３の内側に注水側仕切り板６を備えてもよい。そして、注水側仕切り板６は点検口１８を有する。点検口１８は、胴体部２の下部円周に沿って配置されることが好ましい。なお、胴体部２（投入口７）、排出側仕切り板４（排出口９）、排出側蓋５については、前記と同様であるので、説明を省略する。
【００３４】
図１、図２、図４（ａ）に示すように、注水側仕切り板６は、円板からなり、胴体部（円筒形状）２と、胴体部（一端側）２の円周に沿って所定間隔で設けられるボルト１５で接合される。注水側蓋３は、注水側仕切り板６の略半分の大きさを有する半円板で構成され、注水側仕切り板６の外側で、点検口１８に対応する位置に開閉自在に取り付けられている。すなわち、注水側蓋３の上端部が、注水側仕切り板６の略中央部に蝶番１６で固定され、注水側蓋３の下端部が、注水側仕切り板６の下端部にボルト１７で固定されている。
【００３５】
そして、注水側蓋３を開ける際には、注水側蓋３（下端部）のボルト１７による固定を解除して、注水側蓋３を注水側仕切り板６の上端側に反転させる。これにより、注水側仕切り板６の点検口１８が露出し、胴体部２の内部を確認することが可能となり、破砕産物の残留量を確認できる。
【００３６】
点検口１８は、破砕媒体は通過させない大きさで開口する。点検口１８がこのような大きさで開口することによって、破砕媒体が点検口１８から外部に出ることを防止できる。点検口１８の形状は、図面に記載された縦長のスリット形状に限定されず、目的にかなうものであれば花弁状（放射状）のスリット形状、または、横長のスリット形状等の任意の形状を採用してもよい。点検口18の縁形状は、テーパ状であってもよい。また、点検口１８の数も、破砕産物の残留量が確認できれば、特に限定されない。
【００３７】
注水側蓋３は、点検口１８と当接する側に、点検口１８と最小の隙間で嵌合する突起部１９を有することが好ましい。突起部１９の形状および数は、点検口１８の形状および数と同一が好ましい。また、突起部１９には、前記した注水口８が設けられている。
【００３８】
注水側蓋３が点検口１８と嵌合する突起部１９を備えることによって、注水側蓋３を閉じた際、注水側仕切り板６の内側側面（胴体部内部側の側面）が、ほぼ凹凸のない滑らかな平面となるため、破砕処理の際に、投入された原料物質および破砕媒体によって、点検口１８が摩耗し、減損することが緩和される。その結果、点検口１８の開口が大きくなって、破砕媒体が、点検口１８から外部へ出るようなことが発生し難くなる。
【００３９】
次に、本発明に係る振動ミルの一つの運転方法について、図面を参照して説明する。図５は振動ミルの運転方法の工程フロー、図６は振動ミルの運転方法を模式的に示す概略図である。なお、振動ミルの各構成については、図１〜図３を適宜参照して説明する。
振動ミルの運転方法は、図５に示すように、準備工程（Ｓ１）と、破砕工程（Ｓ２）と、洗浄工程（Ｓ３）とを含む。以下、各工程の手順について説明する。
【００４０】
（準備工程：Ｓ１）
（１）破砕チャンバー１の胴体部２の両端に備えられた注水側蓋３および排出側蓋５を閉じて、投入口７から胴体部２の内部に原料物質、および、水または海水を投入する。なお、胴体部２の内部には、予め、破砕媒体が投入されている（図６（ａ）参照）。
【００４１】
（破砕工程：Ｓ２）
（２）振動装置（図示せず）を駆動し、胴体部２を所定振動数（Ａ）で円振動させる。胴体部２の円振動によって、原料物質を破砕媒体で破砕処理して、破砕産物を産出する（図６（ｂ）参照）。
（３）所定時間の円振動後、振動装置の駆動を停止する。
【００４２】
（洗浄工程：Ｓ３）
（４）排出側蓋５を開けて、注水口８から胴体部２の内部に水または海水を注水する。
（５）注水口８からの注水を続けながら、振動装置を駆動し、胴体部２を所定振動数または所定振動数より低い振動数（Ｂ、Ａ≧Ｂ）で円振動させる。注水と、胴体部２の円振動によって、排出口９から、破砕産物、および、水または海水が排出される（図６（ｃ）参照）。
なお、注水量は、（胴体部２の内容積の０．２〜２．０倍）／毎分が好ましく、（胴体部２の内容積の０．５倍）／毎分がさらに好ましい。
（６）注水口８からの注水を停止する。注水側蓋３を開けて、胴体部２の内部での破砕産物の残留量を目視確認することもできる。（図６（ｄ）参照）。
（７）次の別の種類の原料物質を準備して、（１）〜（６）の手順を行う。これにより、種々の原料物質がお互いに混ざることなく破砕処理できる。
【００４３】
前記の洗浄工程Ｓ３を行うことによって、胴体部の下部内壁面に軸方向に沿った水流が発生し、破砕媒体に拘束されずに破砕産物が排出口から排出される。それにより、胴体内部および破砕媒体の洗浄効率が向上する。
【００４４】
本発明に係る振動ミルの運転方法は、以下の方法で行ってもよい。
予め破砕媒体が投入されている胴体部２の注水側蓋３を閉じ、排出側蓋５を開いた状態で、投入口７より胴体部２の内部に原料物質及び水または海水を連続投入しつつ、振動装置を駆動して、胴体部２を所定振動数で円振動させる。これにより細かく破砕処理された原料物質は排出口側へ移動し、十分に細かくなった破砕産物は水または海水と共に排出口９の開口より連続的に外部へ排出される。
破砕処理が終了した後、振動ミル３０を運転しつつ注水口８より所要量の水を注水し、残留物を排出して振動ミル内を洗浄する。洗浄が完了したら、注水を停止し同時に投入口７より別種の原料物質と水または海水を投入し、間をおかずに次の破砕運転を開始する。このような方法をとることにより、振動ミル３０の運転効率を上げることができる。
【実施例】
【００４５】
次に、本発明の実施例について、説明する。
（実施例）
図１〜図３に記載された振動ミル３０を使用し、前記した運転方法で運転した。なお、運転条件は、以下のとおりとした。
原料物質：貝を含む土砂３ｋｇを使用した。
なお、原料物質と共に、水３ｋｇを投入した。
破砕媒体：ボール径２５〜４０ｍｍの金属ボールを使用し、ボール量は胴体部２内容積
の７５％とした。
破砕工程：胴体部２を、ミル速度（胴体部２の円振動数）５０Ｈｚで６０秒間、円振動
させた。
洗浄工程：胴体部２に水を注水（３０リットル／毎分）して、胴体部を、ミル速度３０
Ｈｚで２０秒間、円振動させた。
【００４６】
（比較例）
実施例の比較対象として、従来の振動ミル（特公平１−１２５４３号に記載の振動ミル）を使用し、実施例と同様の運転条件で運転した。なお、振動ミルの粉砕筒の上部に注水口を設け、洗浄工程において、原料物質（破砕媒体）の上方から水が注水されるようにした。
【００４７】
実施例および比較例の振動ミルについて、運転終了後、胴体部内部を目視し、破砕産物の残留量を確認した。実施例の振動ミルにおいては、破砕産物の残留は確認されなかった。しかしながら、比較例の振動ミルにおいては、破砕産物の残留が確認され、洗浄工程の円振動を１０分間行っても、破砕産物の残留が確認された。
【００４８】
以上、本発明を実施するための最良の形態について、詳細に説明したが、本発明は、かかる実施形態（実施例、図面含む）に限定されるものではなく、本発明の主旨を逸脱しない範囲で、適宜変更可能である。
例えば、本発明に係る振動ミルは、振動装置の支持プレートに複数の破砕チャンバーが支持されたものでもよい。また、振動ミルは、原料物質の投入を手動または自動で行う投入手段、排出側蓋および注水側蓋の開閉を手動または自動で行う開閉手段（シリンダー等）、排出側蓋および注水側蓋と仕切り板との密閉をシリンダー等による加圧により実施する密閉手段を備えてもよい。さらに、振動ミルは、破砕産物の残留量の確認手段として、電流値、重量、音響などの計測手段を備えてもよい。そして、本発明に係る振動ミルの運転方法は、洗浄工程において、前記計測手段を用いて、破砕産物の残留を確認するものであってもよい。
【図面の簡単な説明】
【００４９】
【図１】本発明に係る振動ミルに使用される破砕チャンバーの構成を示す横断面図である。
【図２】図１の破砕チャンバーを注水側（一端側）から見た側面図である。
【図３】図１の破砕チャンバーを排出側（他端側）から見た側面図である。
【図４】（ａ）は図１の破砕チャンバーを注水側（一端側）から見た斜視図、（ｂ）は図１の破砕チャンバーを排出側（他端側）から見た斜視図である。
【図５】本発明に係る振動ミルの運転方法の工程フローである。
【図６】（ａ）〜（ｄ）は、本発明に係る振動ミルの運転方法を模式的に示す概略図である。
【符号の説明】
【００５０】
１      破砕チャンバー
２      胴体部
３      注水側蓋
４      排出側仕切り板
５      排出側蓋
６      注水側仕切り板
７      投入口
８      注水口
９      排出口
１４、１９  突起部
１８    点検口
３０    振動ミル
Ｓ１    準備工程
Ｓ２    破砕工程
Ｓ３    洗浄工程
【図１】
0005172270.tif 000002
【図２】
0005172270.tif 000003
【図３】
0005172270.tif 000004
【図４】
0005172270.tif 000005
【図５】
0005172270.tif 000006
【図６】
0005172270.tif 000007